(57)【特許請求の範囲】
【請求項１】
壁裏に配設される配管と継ぎ手との接続構造であって、
壁に設けられた貫通孔を貫通した状態で壁に固定される継ぎ手と、
壁裏に前記壁の裏面と平行に配設される配管と、を備え、
前記継ぎ手は、前記配管の先端が挿入される挿入孔を有する、前記継ぎ手の壁裏側に設けられた被挿入部を有し、
さらに、前記挿入孔に挿入する前記配管の先端側は、前記継ぎ手に向かって前方側に傾斜した傾斜部を有し、かつ、前記被挿入部の挿入孔は前記傾斜部の傾斜方向と平行になるよう設けられており、
前記傾斜部を前記挿入孔に挿入して前記配管と前記継ぎ手を接続することで、前記配管における前記傾斜部以外の部分の後方が、壁に固定される前記継ぎ手の後方と、前後方向において同じ位置となり、
前記傾斜部は、前記貫通孔と上下方向において重なる位置にあり、
前記貫通孔と上下方向において重なる位置にある前記傾斜部は、前記接ぎ手の前方側に設けられた接続管用挿入孔と前後方向に重なる位置にあることを特徴とする壁裏に配設される配管と継ぎ手との接続構造。
【請求項２】
前記挿入孔は、前記貫通孔を前方から見て、前記貫通孔の範囲内に収まるように設けられていることを特徴とする請求項１に記載の壁裏に配設される配管と継ぎ手との接続構造。
【請求項３】
前記継ぎ手における、前記挿入孔の挿入口が形成された面である挿入口形成面は、前記挿入孔の軸心に対して垂直となるよう設けられていることを特徴とする請求項１または２に記載の壁裏に配設される配管と継ぎ手との接続構造。
【発明の詳細な説明】
【技術分野】
【０００１】
本発明は、壁裏に配設される配管と継ぎ手の接続構造に関する。
【背景技術】
【０００２】
従来、特許文献１に記載のように、浴室の壁裏に配設される配管（給水管や給湯管）と浴室内に配置される水栓は、浴室の壁に形成した貫通孔を貫通した状態で浴室の壁に固定された９０度屈曲した継ぎ手（以下、９０度屈曲エルボと称する）を介して接続されていた。このように、継ぎ手によって配管と水栓を接続するよう構成すれば、継ぎ手に接続する配管の長さ調整を行うだけで、寸法や水栓取付位置の異なる各種の浴室に対して対応することができる。
【先行技術文献】
【特許文献】
【０００３】
【特許文献１】特開２００２−１０６００１号公報
【発明の概要】
【発明が解決しようとする課題】
【０００４】
しかし、図９に示すように、９０度屈曲エルボ３１により配管３３と水栓を接続する場合、配管３３の径Ｄの大きさ分だけでなく、９０度屈曲エルボ３１における配管３３の先端が挿入される被挿入部３１ａの厚い肉厚Ｔをも考慮して、壁３５と建築躯体３７との間に奥行方向の距離Ｌを設ける必要がある。快適性向上のために浴槽や浴室空間をより広くするためには、壁と建築躯体との間に要する奥行方向の距離Ｌをより狭くすることが望まれる。この要望に対し、配管径Ｄを細くしたり、９０度屈曲エルボ３１の被挿入部３１ａの肉厚Ｔを小さくすることも考えられるが、これでは通水量の不足や、強度・耐久性低下を招いてしまう。
【０００５】
本発明は上記課題を解決するためになされたものであり、通水量の不足や、強度・耐久性低下を生じさせることなく、壁と建築躯体との間に要する奥行方向の距離をより小さくすることが可能な壁裏に配設される配管と継ぎ手の接続構造を提供することを目的とする。
【課題を解決するための手段】
【０００６】
上記課題を解決するために、本発明に係る壁裏に配設される配管と継ぎ手との接続構造
は、壁裏に配設される配管と継ぎ手との接続構造であって、壁に設けられた貫通孔を貫通した状態で壁に固定される継ぎ手と、壁裏に前記壁の裏面と平行に配設される配管と、を備え、前記継ぎ手は、前記配管の先端が挿入される挿入孔を有する、前記継ぎ手の壁裏側に設けられた被挿入部を有し、さらに、前記挿入孔に挿入する前記配管の先端側は、前記継ぎ手に向かって前方側に傾斜した傾斜部を有し、かつ、前記被挿入部の挿入孔は前記傾斜部の傾斜方向と平行になるよう設けられており、前記傾斜部を前記挿入孔に挿入して前記配管と前記継ぎ手を接続することで、前記配管における前記傾斜部以外の部分の後方が、壁に固定される前記継ぎ手の後方と、前後方向において同じ位置となり、前記傾斜部は、前記貫通孔と上下方向において重なる位置にあり、前記貫通孔と上下方向において重なる位置にある前記傾斜部は、前記接ぎ手の前方側に設けられた接続管用挿入孔と前後方向に重なる位置にあることを特徴とする。
【０００７】
本発明に係る壁裏に配設される配管と継ぎ手との接続構造においては、壁裏に壁の裏面と平行に配設される配管の先端側を継ぎ手に向かって前方側に傾斜させ、この傾斜部を、傾斜部の傾斜方向と平行となるよう設けられた継ぎ手の挿入孔に挿入して継ぎ手と配管を接続するようにしている。したがって、配管の傾斜部の後方側のスペースを、被挿入部の挿入孔よりも後方側の部位（以下、被挿入部後方部位と称する）を収めるためのスペースとして利用することができ、配管の先端を傾斜させることにより形成したこのスペースに被挿入部後方部位を収めることで、壁の裏面と平行に配設されている部分の配管の後端よりも後方側に被挿入部後方部位が出っ張らないようにできる。したがって、壁の裏面と平行に配設されている部分の配管の後端が建築躯体に接触する程に配管を建築躯体に近接させる場合であっても、被挿入部後方部位によって配管の建築躯体への近接が妨げられることがない。よって、建築躯体と壁との間に要する奥行方向の距離を、従来のエルボ（９０度屈曲エルボ）を用いた場合よりも小さくすることができる。
【０００８】
また、建築躯体と壁との間に要する奥行方向の距離を小さくするにあたり、壁に対しては継ぎ手を貫通させる貫通孔を設けるだけで良く、建築躯体との間に要する奥行方向の距離を小さくするために、この貫通孔よりも広い範囲に亘って壁を切欠いて継ぎ手を埋没させるための窪みを作る等の加工が不要であるため、壁に対する加工が最小限ですむ。
【０００９】
したがって、通水量の不足や、強度・耐久性低下を生じさせることなく、壁への加工を最小限に抑えつつも、壁と建築躯体との間に要する奥行方向の距離をより小さくすることが可能となる。
【００１０】
また、本発明に係る壁裏に配設される配管と継ぎ手との接続構造では、前記挿入孔は、前記貫通孔を前方から見て、前記貫通孔の範囲内に収まるように設けられていることも好ましい。
【００１１】
この好ましい態様では、壁の貫通孔を前方から見て、継ぎ手の挿入孔が貫通孔の範囲内に収まるように設けられているため、挿入孔に挿入される配管の傾斜部の前方には、壁が存在しない。この壁が存在しない傾斜部前方のスペースに被挿入部の挿入孔よりも前方側の部位（以下、被挿入部前方部位と称する）を収めることができる。これにより、被挿入部前方部位が壁と配管の間に入り込まないため、被挿入部前方部位によって壁と配管の近接が妨げられることも回避できる。したがって、建築躯体と壁との間に、被挿入部後方部位だけでなく、被挿入部前方部位のためのスペースをも設ける必要がなくなるため、建築躯体と壁との間に要する奥行方向の距離をより一層小さくすることができる。
【００１２】
また、本発明に係る壁裏に配設される配管と継ぎ手との接続構造では、前記継ぎ手における、前記挿入孔の挿入口が形成された面である挿入口形成面は、前記挿入孔の軸心に対して垂直となるよう設けられていることも好ましい。
【００１３】
この好ましい態様では、継ぎ手における、挿入孔の挿入口が形成された面である挿入口形成面は、挿入孔の軸心に対して垂直となるよう設けられているため、配管の傾斜部を挿入孔に挿入する際、傾斜部を挿入口形成面に対して垂直に挿入すれば良く、挿入方向を間違えることなく挿入作業ができるため、挿入作業をスムーズに行うことができる。
【発明の効果】
【００１４】
本発明の壁裏に配設される配管と継ぎ手との接続構造によれば、通水量の不足や、強度・耐久性低下を生じさせることなく、壁と建築躯体との間に要する奥行方向の距離をより小さくすることが可能となる。
【図面の簡単な説明】
【００１５】
【図１】本発明の実施形態に係る浴室を模式的に示す斜視図。
【図２】水栓が取り付けられた壁パネルを側方側から見た断面図。
【図３】壁パネルへの継ぎ手の固定構造を示すための分解斜視図。
【図４】継ぎ手を介して給湯管と水栓の接続管とを接続した接続状態を側方から見た断面図。
【図５】継ぎ手を介して給湯管とフレキシブル管とを接続した接続状態を側方から見た断面図。
【図６】ニップルと一体に設けた継ぎ手を介して給湯管とフレキシブル管とを接続した接続状態を側方から見た断面図。
【図７】様々な角度で継ぎ手を壁パネルに固定した状態を模式的に示す背面図。
【図８】給湯管を側方から見た断面図。
【図９】従来の９０度屈曲エルボと配管とを接続した接続状態を側方から見た断面図。
【発明を実施するための形態】
【００１６】
以下、添付図面を参照しながら本発明の実施の形態について説明する。説明の理解を容易にするため、各図面において同一の構成要素に対しては可能な限り同一の符号を付して、重複する説明は省略する。
【００１７】
図１は、本発明の実施形態に係る浴室１を模式的に示す斜視図であり、図２は水栓５が取り付けられた壁パネル３を側方側から見た浴室１の断面図である。
【００１８】
図１に示すように、浴室１の壁パネル３には水栓５が取り付けられている。図１および図２に示すように、壁パネル３の裏には、給水管７および給湯管９が、壁パネル３の裏側の面（裏面）と平行に配設されており、給水管７および給湯管９は、壁パネル３に固定された継ぎ手１１を介して水栓５に接続されている。なお、給水管７および給湯管９の後方には建築躯体１３が存在し、給水管７および給湯管９は壁パネル３と建築躯体１３との間に配設される。また、継ぎ手は、壁パネル３に設けられた貫通孔１５を貫通した状態で壁パネル３に固定されている。
【００１９】
図３は、壁パネル３への継ぎ手１１の固定構造を示すための分解斜視図である。継ぎ手１１は、被挿入部１１ａと、被挿入部１１ａから円筒状に延びる円筒状部１１ｆを有している。また、円筒状部１１ｆに近い被挿入部１１ａからは、外方に出っ張るようにフランジ１１ｂが延設されている。なお、円筒状部１１ｆの外周面にはネジ山が形成されている。
【００２０】
壁パネル３は、石膏ボード３ａと鋼板３ｂからなり、鋼板３ｂは石膏ボード３ａの表側の面のみに接着材等で貼り付けられている。また、壁パネル３には、継ぎ手１１を貫通させるための貫通孔１５が設けられている。この貫通孔１５は、建築現場にて穿設される。
【００２１】
継ぎ手１１を壁パネル３に固定する際は、まず、後述する継ぎ手回転防止板１７の挿通孔１７ａと壁パネル３の貫通孔３ａが連通するように継ぎ手回転防止板１７を壁パネル３の裏面にあてる。そして、挿入孔１７ａおよび貫通孔１５に、継ぎ手１１の円筒状部１１ｆを、壁パネル３の裏側からフランジ１１ｂが継ぎ手回転防止板１７に当接するまで挿入する。続いて、円筒状部１１ｆのうち、壁パネル３の表側の面から突出した部分に、シール性を確保するためのパッキン２３とすべりワッシャ２１をこの順番に嵌めていく。最後に、内周面にネジ山が形成されている締め付けフランジ１９と円筒状部１１ｂを螺合し、壁パネル３を、締め付けフランジ１９と継ぎ手１１のフランジ１１ｂとによって挟み込んで締め付けることで、継ぎ手１１を壁パネル３に固定する（図４参照）。なお、給水管７と給湯管９は、継ぎ手１１を壁パネル３に固定する前に、継ぎ手１１に接続される。
【００２２】
ここから、配管（給水管７、給湯管９）と継ぎ手１１との接続構造について説明する。図４は、継ぎ手１１を介して給湯管９と水栓５に設けられている接続管５ａとを接続した状態を側方から見た断面図である。
【００２３】
継ぎ手１１は、その後方側（図４においては右側）に被挿入部１１ａを有しており、この被挿入部１１ａの下部には、給湯管９の先端部分が挿入される配管用挿入孔１１ｃが設けられている。配管用挿入孔１１ｃの軸心Ｃ１は、鉛直方向に対して、壁パネル３側へ１０度傾いている。
【００２４】
一方、給湯管９は、その先端側に傾斜部９ａを有している。傾斜部９ａは、その軸心Ｃ２が鉛直方向に対して１０度傾斜している（図８におけるθ＝１０°）。この傾斜部９ａを、図４に示すように継ぎ手１１の配管用挿入孔１１ｃに挿入することで、継ぎ手１１と給湯管９が接続される。そして、配管用挿入孔１１ｃに挿入された傾斜部９ａの外周面と配管用挿入孔１１ｃの内周面との間に生じるわずかな隙間には、ロウを流し込み、このロウを硬化させることで、継ぎ手１１と給湯管９とを接合すると共に、継ぎ手１１と給湯管９の間のシール性を確保する。ここでは、給湯管９を例に挙げて接続に関する説明を行ったが、給水管７についても同様の方法で継ぎ手１１との接続を行う。
【００２５】
このように、給湯管９の先端側および配管用挿入孔１１ｃとが平行になるように傾斜させることで、被挿入部１１ａの配管用挿入孔１１ｃのよりも後方側の部位（以下、被挿入部後方部位）１１ｄを、給湯管９の傾斜部９ａよりも後方側のスペースＳ１（図８参照）に収めることができる。
【００２６】
また、図４に示すように、壁パネル３の貫通孔１５を前方（図４においては貫通孔１５の左側）から見て、継ぎ手１１の配管用挿入孔１１ｃが貫通孔１５の範囲Ａ内に収まるように設けられているため、配管用挿入孔１１ｃに挿入される傾斜部９ａの前方には、壁パネル３が存在しない。この壁パネル３が存在しない傾斜部９ａ前方のスペースＳ２に被挿入部１１ａの配管用挿入孔１１ｃよりも前方側の部位（以下、被挿入部前方部位）１１ｅを収めることができる。
【００２７】
したがって、被挿入部後方部位１１ｄおよび被挿入部前方部位１１ｅの両者が壁パネル３と給湯管９の間に入り込まないため、被挿入部後方部位１１ｄおよび被挿入部前方部位１１ｅによって壁パネル３と給湯管９の近接が妨げられることがない。したがって、建築躯体１３と壁パネル３との間に要する奥行方向の距離Ｌを小さくすることができる。
【００２８】
また、配管用挿入孔１１ｃと継ぎ手１１外表面との境界である挿入口１１ｇが形成されている継ぎ手１１の外面（以下、挿入口形成面と称する）１１ｈは、配管用挿入孔１１ｃの軸心Ｃ１に対して垂直となるよう傾斜している。したがって、給湯管９の傾斜部９ａを挿入口１１ｇに挿入する際、傾斜部９ａを挿入口形成面１１ｈに対して垂直に挿入すれば良く、挿入方向を間違えることなく挿入作業ができるため、挿入作業をスムーズに行うことができる。なお、配管用挿入孔１１ｃは、継ぎ手１１の内部流路１１ｋに連通している。
【００２９】
以上のようにして配管（給水管７、給湯管９）が接続された継ぎ手１１を、上述した方法で壁パネル３に固定する。水栓５の接続管５ａは、継ぎ手１１が壁パネル３に固定された後、継ぎ手１１に接続される。具体的には、接続管５ａの外周面に設けられたネジ山と継ぎ手１１の接続管用挿入孔１１ｍの内周面に設けられたネジ山とを螺合させることにより、継ぎ手１１に接続管５ａを接続する。なお、図５に示すように、内周面にネジ山が設けられたナットを先端に有するフレキシブル管２７を継ぎ手１１に接続する場合には、周知の部材であるニップル２５を介して、フレキシブル管２７と継ぎ手１１を接続すれば良い。また、継ぎ手１１を、予めニップル２５と一体に設けても良い。図６は、それらを一体に設けた継ぎ手２９を用いて、給水管９とフレキシブル管２７を接続させた状態を示す断面図である。継ぎ手２９の円筒状部２９ａの先端からは、円筒状部２９ａよりも径が小さい小径円筒状部２９ｂが延設され、この小径円筒状部２９ｂの外周面にネジ山が設けられている。
【００３０】
続いて、継ぎ手回転防止板１７の機能について説明する。継ぎ手回転防止板１７は、断面がコの字状に形成された金属製の薄板であり、基部１７ｃと、基部１７ｃの上端および下端から基部１７ｃに対して垂直な方向に延びる突出部１７ｄからなる。図７に示すように、継ぎ手１１のフランジ１１ｂは八角形状に形成されているため、給水管７側の継ぎ手１１および給湯管９側の継ぎ手１１の上辺と下辺が、上下２つの突出部１７ｄと平行になるようにして、それらの継ぎ手１１を継ぎ手回転防止板１７の挿通孔１７ａに挿入し、壁パネル３に固定することで、継ぎ手回転防止板１７によって継ぎ手１１が回転することを防止できる。すなわち、上下２つの突出部１７ｄにより、継ぎ手１１が壁パネル３に垂直な方向周りに回転することを防止する。
【００３１】
フランジ１１ｂは八角形状に形成されているため、図７に示すように、継ぎ手１１を様々な角度で壁パネル３に固定させることができる。なお、突出部１７ｄには切欠き１７ｂが設けられており、内壁パネル３と建築躯体１３との間に要する奥行方向の距離を増加させないよう、配管（給水管７、給湯管９）が通過する部分にこの切欠き１７ｂを設け、配管（給水管７、給湯管９）がこの切欠き１７ｂを通過するようにしている。
【符号の説明】
【００３２】
１：浴室
３：壁パネル（壁）
３ａ：鋼板
３ｂ：石膏ボード
５：水栓
５ａ：接続管
７：給水管（配管）
７ａ：傾斜部
９：給湯管（配管）
９ａ：傾斜部
１１：継ぎ手
１１ａ：被挿入部
１１ｂ：フランジ
１１ｃ：配管用挿入孔（挿入孔）
１１ｄ：被挿入部後方部位
１１ｅ：被挿入部前方部位
１１ｆ：円筒状部
１１ｇ：挿入口
１１ｈ：挿入口形成面
１１ｋ：内部流路
１１ｍ：接続管用挿入孔
１３：建築躯体
１５：貫通孔
１７：継ぎ手回転防止板
１７ａ：挿通孔
１７ｂ：切欠き
１７ｃ：基部
１７ｄ：突出部
１９：締め付けフランジ
２１：すべりワッシャ
２３：パッキン
２５：ニップル
２７：フレキシブル管
２９：ニップル一体型継ぎ手
２９ａ：円筒状部
２９ｂ：小径円筒部
Ａ：範囲
Ｃ１、Ｃ２：軸心
Ｋ：建築躯体の前面
【図１】
0006572525.tif 000002
【図２】
0006572525.tif 000003
【図３】
0006572525.tif 000004
【図４】
0006572525.tif 000005
【図５】
0006572525.tif 000006
【図６】
0006572525.tif 000007
【図７】
0006572525.tif 000008
【図８】
0006572525.tif 000009
【図９】
0006572525.tif 000010